(57)【要約】【課題】  認証キーの誤挿入を防止し、かつ認証部の小型化を図ることが可能なセキュリティ装置および認証キーを提供する。【解決手段】  個人情報をメモリ部に記憶している認証キー４０が、壁等に取り付けられた認証部１７に挿入されると、センササーバ１１は、認証キー４０から情報を読み出し、その情報が適正であるとき、錠前装置１５Ａを制御し、玄関ドア１５の施錠または開錠を行う。認証部１７は凸型の挿入口を有し、認証キー４０はこの挿入口の形状に合わせた外形を有している。【選択図】        図１
2006152679.tif 000002
【特許請求の範囲】
【請求項１】
家屋のドア等の施錠／開錠を電気的に行う錠前装置を特定の情報が入力されたことに基づいて制御するサーバと、
前記特定の情報を不揮発性の記憶媒体に記憶している認証キーが挿入される凸型の開口による挿入口を有するハウジング、および前記挿入口に挿入された前記認証キーの一対の電極に先端部が接触し且つ前記サーバに接続される一対の端子を有する認証部とを備えたことを特徴とするセキュリティ装置。
【請求項２】
前記サーバは、前記家屋に設置されたセンサが異常を検知したとき、通信回線を介して警備の委託先または前記家屋の関係者に通報を行う通信手段を備えることを特徴とする請求項１記載のセキュリティ装置。
【請求項３】
前記認証部は、前記認証キーの挿入および認証処理に応じて点灯する発光素子を前記ハウジングの表面に備えることを特徴とする請求項１記載のセキュリティ装置。
【請求項４】
前記認証部は、壁埋込型のボックスに収納して前記ドア等の近傍に設置したことを特徴とする請求項１記載のセキュリティ装置。
【請求項５】
前記ハウジングは、前記認証キーの挿入に応じて開閉するカバーが、前記挿入口に設けられていることを特徴とする請求項１記載のセキュリティ装置。
【請求項６】
上下面に一対の電極が形成されるように、使用者に関する特定の情報を格納した不揮発性の記憶媒体を金属導体によりボタン電池型に外装したメモリ部と、
前記メモリ部をその上下面が露出する状態で搭載した本体とを備えることを特徴とする認証キー。
【請求項７】
前記本体は、前記メモリ部の露出面が本体表面より所定の高さだけ突出するように前記メモリ部を搭載することを特徴とする請求項６記載の認証キー。
【請求項８】
前記本体は、前記メモリ部の裏面に連通するとともに、その入り口の周縁にアールを付けた開口を本体裏面に有することを特徴とする請求項６記載の認証キー。
【請求項９】
前記本体は、略長方形の板状を成し、その一端に前記メモリ部を搭載し、他端に開口を有することを特徴とする請求項６記載の認証キー。
【請求項１０】
前記本体は、その挿入方向に直交させて複数の溝が中間部に形成されていることを特徴とする請求項９記載の認証キー。
【発明の詳細な説明】
【技術分野】
【０００１】
本発明は、セキュリティ装置および認証キーに関し、特に、認証キーの誤挿入を防止し、かつ認証部の小型化を図ることが可能なセキュリティ装置および認証キーに関する。
【背景技術】
【０００２】
留守中に住居内に発生したガス漏れ、火災、不法侵入、ペットの異常等の監視を素早く検知し、適切な処置をとることは、住居の保全や犯罪防止の面で有効である。そこで、従来より、ホームセキュリティシステム等が開発されている。例えば、ドア鍵の異常開錠を検知して侵入警報を発生するシステム（例えば、特許文献１参照。）、携帯電話を用いて外出先から住宅機器をオン／オフ制御したり、窓や玄関の鍵を遠隔制御によって施錠又は開錠を行う制御システム等が提案されている（例えば、特許文献２，３参照。）。
【０００３】
また、留守中に住居内に発生した異常を、警備会社等に通知するのではなく、居住者が所持する携帯電話を呼び出して警報を行うシステムも提案されている（例えば、特許文献４参照。）。
【０００４】
また、ＩＣカードにＣＣＤイメージセンサ、ＣＰＵ、入出力部、スピーカ等を搭載し、ＣＣＤイメージセンサの読取面に使用者が親指の表面を押し当てながら、このＩＣカードをカードリーダのスリット溝に挿入し、カードリーダ側に予め登録してある指紋情報との照合を照合部によって行うＩＣカード認証システムも知られている（例えば、特許文献５参照。）。
【０００５】
図９は、従来のセキュリティシステムを示すブロック図である。このセキュリティシステム１００は特許文献４の図３に開示されているものである。
【０００６】
火災等による炎の発生に伴う室温の異常上昇や煙の発生を検知する火災検知センサ、都市ガスやプロパンガスの漏洩に伴うガス濃度の上昇を検知するガス漏洩検知センサ、強盗などの家屋への侵入を検知する赤外線センサなどによる異常検知センサ１０１，１０２，および１０３が住居内に適所に設置されている。
【０００７】
異常検知センサ１０１，１０２，および１０３のそれぞれには、パーソナルコンピュータ等の端末装置１０４が接続されており、この端末装置１０４は、異常検知センサ１０１〜１０３が測定した実測温度、実測ガス濃度などの実測値と、正常な温度範囲、ガス濃度範囲などの設定値との比較演算処理を行う。また、端末装置１０４は、ＲＳ２３２Ｃなどのインターフェースを介して電話会社等の回線網１０５に接続されている。
【０００８】
回線網１０５には、ユーザがセキュリティの委託契約をしている警備会社の中央監視システム１０６が接続されており、委託契約先の各家庭に設置された異常検知センサ１０１〜１０３の正常／異常を常時監視している。
【０００９】
中央監視システム１０６には、回線網１０５を介して警察署や消防署等の通知先１０７が接続されている。このため、委託契約先の家庭に設置された異常検知センサ１０１〜１０３から警備会社の中央監視システム１０６に異常発生を知らせる通報が発せられると、中央監視システム１０６から警察署や消防署に通報がなされ、所轄署から当該委託先の家庭へ出動がなされる。このことにより事前に事故防止が図れ、或いは被害を最小限にくい止めることができる。
【００１０】
なお、図９のセキュリティシステム１００は、家庭内の要所に設置した異常検知センサにより監視を行う構成であったが、このセキュリティシステム１００にＩＣカードを組み合わせれば、施錠／開錠をＩＣカードで行うことができる。
【特許文献１】特開２００２−１９００７０号公報（〔００１８〕〜〔００２１〕、図１）
【特許文献２】特開２００１−３０９０６７号公報（〔００１２〕〜〔００２２〕、図１〜図３）
【特許文献３】特開２０００−３０３７２９号公報（〔０００５〕〜〔００１０〕、図１〜図３）
【特許文献４】特開２００１−２４５０６９号公報（〔００１８〕〜〔００２４〕、図１）
【特許文献５】特開２００３−１６２７０５号公報（〔０００９〕〜〔００１２〕、図１、図５）
【発明の開示】
【発明が解決しようとする課題】
【００１１】
しかし、従来のセキュリティシステムによると、図９のセキュリティシステム１００に特許文献５のＩＣカードを認証キーとして用いた構成にしようとした場合、同特許文献の図５に示されるように、ＩＣカードは板状であるため、その上下を逆にしてカードリーダのスリット溝に挿入した場合でも挿入ができてしまうため、認証が不可能になったり、ＩＣカードを損傷する可能性がある。
【００１２】
また、カードリーダは、一般に、挿入部のほかに検出回路や認識回路が組み込まれているために大型化しやすく、ホームユースでは設置場所に制約が生じていた。
【００１３】
従って、本発明の目的は、認証キーの誤挿入を防止し、かつ認証部の小型化を図ることが可能なセキュリティ装置および認証キーを提供することにある。
【課題を解決するための手段】
【００１４】
第１の発明は、上記の目的を達成するため、家屋のドア等の施錠／開錠を電気的に行う錠前装置を特定の情報が入力されたことに基づいて制御するサーバと、前記特定の情報を不揮発性の記憶媒体に記憶している認証キーが挿入される凸型の開口による挿入口を有するハウジング、および前記挿入口に挿入された前記認証キーの一対の電極に先端部が接触し且つ前記サーバに接続される一対の端子を有する認証部とを備えたことを特徴とするセキュリティ装置を提供する。
【００１５】
前記サーバは、前記住居に設置されたセンサが異常を検知したとき、通信回線を介して警備の委託先または前記住居の関係者に通報を行う通信手段を備えることができ、これにより、異常発生に対して適切な対応をとることができる。
【００１６】
前記認証部は、前記認証キーの挿入および認証処理に応じて点灯する発光素子を前記ハウジングの表面に備えることができる。これにより、認証キーの着脱状態および認識状態を把握することができる。
【００１７】
前記認証部は、壁埋込型のボックスに収納して前記ドア等の近傍に設置することができる。これにより、屋内電気工事と同等の要領で配線工事ができるとともに、設置場所に困ることがなくなる。
【００１８】
前記ハウジングは、前記認証キーの挿入に応じて開閉するカバーが、前記挿入口に設けられた構成にすることができる。これにより、ハウジング内への塵等の侵入を防止することができる。
【００１９】
第２の発明は、上記の目的を達成するため、上下面に一対の電極が形成されるように、使用者に関する特定の情報を格納した不揮発性の記憶媒体を金属導体によりボタン電池型に外装したメモリ部と、前記メモリ部をその上下面が露出する状態で搭載した本体とを備えることを特徴とする認証キーを提供する。
【００２０】
前記本体は、前記メモリ部の露出面が本体表面より所定の高さだけ突出するように前記メモリ部を搭載することができる。これにより、認証キーの誤挿入を防止することができる。
【００２１】
前記本体は、前記メモリ部の裏面に連通するとともに、その入り口の周縁にアールを付けた開口を本体裏面に有する構成にすることができる。これにより、認証キーを認証部に挿入したときに、認証部側の端子の前記開口への嵌入／離脱を容易にすることができる。
【００２２】
前記本体は、略長方形の板状を成し、その一端に前記メモリ部を搭載し、他端に開口を有する構成にすることができる。これにより、他端に設けた開口にキーやストラップ等を取り付けることができる。
【００２３】
前記本体は、その挿入方向に直交させて複数の溝が中間部に形成された構成にすることができる。これにより、認証部への挿入／引き抜き時に指が滑るのを防止することができる。
【発明の効果】
【００２４】
本発明のセキュリティ装置によれば、認証部を備えたことにより、認証キーの誤挿入を防止し、かつ認証部の小型化を図ることができる。
【００２５】
本発明の認証キーによれば、ボタン電池型のメモリ部により、認証部への誤挿入の防止、および小型化を図ることができる。また、キーホルダと同様の使い方が可能になる。
【発明を実施するための最良の形態】
【００２６】
（第１の実施の形態）
（セキュリティ装置の全体構成）
図１は、本発明の第１の実施の形態に係るセキュリティシステムの構成図である。このセキュリティシステム１は、家屋側設備１０と、インターネット２０と、受信側設備３０と、認証キー４０とを備える。
【００２７】
家屋側設備１０は、家屋（住居）内に設置された各種センサの管理、各種の処理および制御のほか受信側設備３０との間の通信を行うセンササーバ（Sensor server）１１と、室内の状況等を撮像するＷｅｂ(World Wide Web)カメラ１２と、異常発生時に警報を発するブザー等による警報器１３と、玄関ドア１５の開閉を検知する開閉センサ１４と、玄関ドア１５の錠前装置１５Ａ（１５Ｂはノブ）に取り付けられていると共にサーバとしてのセンササーバ１１の制御または不図示の電子キーにより錠前装置１５Ａの施錠／開錠を行う電子錠１６と、玄関ドア１５の近傍の壁面等に設置されて認証キー４０が挿入されたときに認証キー４０の不揮発性の記憶媒体からデータを取得する認証部１７と、室内の温度および湿度を検知する温湿度センサ１８と、室内のガス漏れを検知するガス検出・警報器１９とを備えている。
【００２８】
この図１では、Ｗｅｂカメラ１２、開閉センサ１４、および温湿度センサ１８は、各１台のみを示したが、任意数にすることができる。
【００２９】
インターネット２０は、電話回線、ブロードバンド等を介してプロバイダに接続されており、このインターネット２０に所定のインターフェースを介して家屋側設備１０および受信側設備３０が接続されている。
【００３０】
受信側設備３０は、家屋側設備１０が設置された家屋に住む居住者、知人等の関係者が所持するＰＤＡ（Personal Digital Assistant）装置３１又は（および）携帯電話３２と、警備会社の監視センター３３と、居住者が所持するノートパソコン（ノート型パーソナルコンピュータ）３４等を含んでいる。受信側設備３０内の機器は、有線又は無線を介してインターネット２０に接続される。
【００３１】
（センササーバの構成）
図２は、センササーバ１１の詳細構成を示すブロック図である。センササーバ１１は、全体を制御するＣＰＵ１１ａと、ＣＰＵ１１ａに接続されたアドレスバス１１ｂと、ＣＰＵ１１ａに接続されたデータバス１１ｃと、ＣＰＵ１１ａに接続されたコントロールバス１１ｄと、ＪＡＶＡ（登録商標）仕様のプログラムが格納されたＲＯＭ１１ｅと、処理結果等が一時的に格納されるＲＡＭ１１ｆと、前記各種センサとの接続を行うインターフェース部１１ｇと、Ｗｅｂカメラ１２からの画像信号を記憶する画像メモリ１１ｈと、画像メモリ１１ｈに格納されている画像データに対して符号化の処理を行う符号化部１１ｉと、ＴＣＰ／ＩＰ等の所定のプロトコルに従ってインターネット２０との通信制御を行う回線制御部１１ｊとを備えて構成されている。
【００３２】
ここで、インターフェース部１１ｇ、符号化部１１ｉ、回線制御部１１ｊの組み合わせにより、通信手段が形成される。
【００３３】
（認証部の構成）
図３は、認証部１７の正面図である。この認証部１７は、ＡＢＳ（アクリロニトリル・ブタジェン・スチレン）樹脂等により成型加工して作られているとともに、認証キー４０が挿入される凸型の挿入口１７ｂを備えたハウジング１７ａと、認証キー４０の挿入および認証の状態を表示する発光素子としてのＬＥＤ（発光ダイオード）１７ｃと、ハウジング１７ａの表面に装着されるカバープレート１７ｄとを備える。
【００３４】
認証部１７は、交流１００Ｖの商用電源系統に用いられているスイッチボックス等と同様の形状およびサイズを有して家屋の壁内に埋め込まれている壁埋込型のボックス（図示せず）に収納される。
【００３５】
ハウジング１７ａは、左右一対の固定部１７ｅを正面に有し、この固定部１７ｅがビスによってボックスに固定される。
【００３６】
ＬＥＤ１７ｃは、緑色、赤色等の発光色を生じる汎用品を用いることができる。なお、ＬＥＤ１７ｃは、これに代えて小型の電球、ＥＬ（エレクトロルミネッセンス）、液晶表示器等を用いることができる。特に、液晶表示器を用いた場合、文字による表示が可能になる。
【００３７】
図４および図５は、認証部１７の詳細構成を示す平面図および側面図である。また、図６は、認証キー４０が挿入口１７ｂに挿入されているときの図４のＡ−Ａ線の断面図である。
【００３８】
認証部１７は、ＬＥＤ１７ｃの一方のリード１７２Ａに接続された抵抗１７１と、抵抗１７１の一端が接続された端子１７３Ａと、ＬＥＤ１７ｃの他方のリード１７２Ｂが接続された端子１７３Ｂと、認証キー４０に電源供給を行うとともにデータの取り出しに用いられる一対のメモリ用端子１７４Ａ，１７４Ｂと、端子１７３Ａ，１７３Ｂを固定するネジ１７５Ａ，１７５Ｂと、メモリ用端子１７４Ａ，１７４Ｂを固定するネジ１７６Ａ，１７６Ｂと、挿入口１７ｂに認証キー４０が挿入されていないときに挿入口１７ｂを閉鎖する逆Ｊ字形断面の開閉カバー１７７と、開閉カバー１７７に係着しているＳＵＳ等によるスプリング１７８と、ネジ１７６Ａ，１７６Ｂに螺着するナット１７９Ａ，１７９Ｂと、開閉カバー１７７およびスプリング１７８を支持するＳＵＳ等によるシャフト１８０とを有する。
【００３９】
抵抗１７１は、ＬＥＤ１１ｃに対する電流制限用であり、例えば、４７０Ωのソリッド抵抗が用いられる。また、リード１７２Ａ，１７２Ｂは、ＬＥＤ１７ｃに最初から付属しているものである。
【００４０】
端子１７３Ａ，１７３Ｂは、帯状の導体であり、端子１７３Ａには抵抗１７１の他端が半田接続され、端子１７３Ｂにはリード１７２Ｂが半田接続される。
【００４１】
メモリ用端子１７４Ａ，１７４Ｂは、先端部がＶ字形に曲げ加工されているとともに、その各頂点が挿入された認証キー４０の一対の電極に線接触する大きさを有している。このメモリ用端子１７４Ａ，１７４Ｂと端子１７３Ａ，１７３Ｂには、センササーバ１１からの４本の配線ケーブルが接続される。
【００４２】
開閉カバー１７７は、挿入口１７ｂから埃等がハウジング１７ａ内に侵入するためのもので、ＡＢＳ等の樹脂材料を用いて作られている。スプリング１７８は、コイルバネであり、一端がハウジング１７ａの内壁に当接し、他端が開閉カバー１７７の係止部１７７ａに当接するように配置され、シャフト１８０に軸支されながら挿入口１７ｂを塞ぐ方向の附勢力を開閉カバー１７７に付与する。
【００４３】
（認証キーの構成）
図７は、認証キー４０の詳細構成を示し、同図中、（ａ）は平面図、（ｂ）は正面図、（ｃ）は（ａ）のＢ−Ｂ線の断面図である。
【００４４】
認証キー４０は、ＡＢＳ等の樹脂材料で形成される楕円状の外形を有した第１形状部４０Ａと、同様の材料で形成されて円形状の外形を有する第２形状部４０Ｂとを有し、第１形状部４０Ａは、先端部に不揮発性の記憶媒体としてのメモリ部４１を段差部４０ｅに搭載するとともに、メモリ部４１の下面電極に対して電気的な接続が可能となるように開口４０ｄが設けられている。この開口４０ｄは、前述したメモリ用端子１７４Ｂがメモリ部４１の下面電極に対して円滑に離接するようにアール４０ｇを有して形成されている。また、第２形状部４０Ｂは、円形の開口４０ｂと、表面に形成された長方形の浅い凹部４０ｃとを有する把持部を形成しており、第１形状部４０Ａに対して傾きを有して一体的に形成されている。
【００４５】
なお、本体４０ａは、図７に示す形状に限定されるものではなく、一方のみに半円形を有する形状、或いは長方形、四角形等であってもよい。
【００４６】
開口４０ｂは、キーやストラップを取り付けるために用いることができ、凹部４０ｃは認証キー４０の使用者の名前、管理番号等を記入し、或いはシールを貼着するスペースとして用いることができる。
【００４７】
メモリ部４１は、ボタン電池に類似した外形を有し、上面および他の面（側面と下面）が一対の電極になる様に金属導体により外装されており、内部には半導体メモリ、インターフェース回路、電源／信号分離回路等が実装されている。半導体メモリは、認証キー４０の所持者に関するデータ、具体的には家族（居住者）の一人であることを示す個人情報（例えば、氏名、ＩＤ、複数桁の数字や記号等）を特定の情報として格納している。
【００４８】
（第１の実施の形態の動作）
次に、図１〜図７を参照してセキュリティシステム１の動作を説明する。１つの住居の居住者全員が認証キー４０を所持している。まず、それぞれの認証キー４０について、個人情報が、予めセンササーバ１１のＲＯＭ１１ｅに登録される。また、居住者のそれぞれが所持する認証キー４０には、対応する個人情報がメモリ部４１にも登録される。
【００４９】
家を留守状態にするとき、最後に家を出る人は、認証キー４０を挿入口１７ｂの形状に合わせて認証部１７に挿入（或いは、認証キー４０とともに電子キーを電子錠１６に挿入）する。
【００５０】
図６に示すように、使用者が、メモリ部４１を挿入側にして認証キー４０を認証部１７の挿入口１７ｂに挿入すると、開閉カバー１７７が押され、さらに認証キー４０が挿入される過程で、メモリ用端子１７４ＢのＶ字部が図７（ｃ）に示す開口４０ｄに嵌入し、ついでメモリ部４１の下面電極に接触する。同時に、メモリ用端子１７４Ａがメモリ部４１の上面に接触する。メモリ用端子１７４Ｂが開口４０ｄに嵌入するとき、使用者はクリック感を感じるので、認証キー４０が所定位置まで挿入されたことを認識できる。
【００５１】
認証キー４０が所定位置にセットされることにより、センササーバ１１側からメモリ部４１に電源供給が行われるとともに、データがメモリ部４１からセンササーバ１１へ読み出され、さらにＬＥＤ１１ｃがセンササーバ１１の制御によって点灯する。
【００５２】
センササーバ１１は、ＲＯＭ１１ｅに登録されているデータと、メモリ部４１から読み込んだデータの一致を確認して電子錠１６を作動させ、玄関ドア１５を施錠する。センササーバ１１による認証中、ＬＥＤ１１ｃが点滅し、認識が無事に終了すると消灯する。操作者は、これを確認した後で、認証キー４０を引き抜く。また、センササーバ１１のＣＰＵ１１ａは、認証部１７からの信号によって家屋内が無人になったことを判断し、屋内外の監視を開始する。なお、データが不一致の場合、異なる点滅周期でＬＥＤ１１ｃを点灯させ、認識できなかったことを使用者に認識させる。
【００５３】
一方、居住者のいずれかが帰宅したとき、当人は、所持する認証キー４０を認証部１７に挿入することにより（或いは、電子キーとの併用であってもよい。）、電子錠１６が開錠する。上記したようにして、認証キー４０が認識部１７の挿入口１７ｂに挿入されると、センササーバ１１は、ＲＯＭ１１ｅに登録されているデータとメモリ部４１から読み込んだデータを照合し、一致するときには真正の居住者であると判断し、錠前装置１５Ａを開錠させる。このとき、ＬＥＤ１１ｃは、認証キー４０の挿入ときに点灯し、認証中には点滅し、認証終了後には消灯する。この一連のＬＥＤ１１ｃの発光状態から、操作者は認識処理の状態を把握できる。なお、認識できなかった場合、センササーバ１１は、ＬＥＤ１７ｃを認識成功時とは異なる点滅周期で点灯させ、認識できなかったことを使用者に認識させる。
【００５４】
センササーバ１１による監視中に、例えば、開閉センサ１４が動作したとすると、居住者以外の者が外部から玄関ドア１５を開けた可能性がある。この開閉センサ１４の検出信号は、インターフェース部１１ｇを介してセンササーバ１１に取り込まれる。センササーバ１１のＣＰＵ１１ａは異常発生を判断し、警報器１３を設定時間又はリセットされるまで鳴らすと共に、Ｗｅｂカメラ１２によるドア内側周辺の画像撮影を開始する。撮影画像は画像メモリ１１ｈに取り込まれ、符号化部１１ｉで符号化が行われる。この画像データと状況を知らせるメッセージのメールが送信データとして作成され、また、受信先を指定することにより、回線制御部１１ｇを介してインターネット２０へ送出される。
【００５５】
インターネット２０へ送出された送信データは、指定された受信先、例えば警備会社の監視センター３３へ送られる。警備会社では、センササーバ１１からの通知に対し、警備員を派遣し、あるいは警察に連絡する等の処置をとる。これにより、被害等を最小限に食い止め、事故や事件に迅速に対応することが可能になる。
【００５６】
センササーバ１１が一旦異常を判断すると、警報器１３の動作時間が設定されていない場合、警報音が鳴り続ける状態になる。これを止めるには、居住者、警備員、警察官等がセンササーバ１１の図示しないリセットボタンを押し、或いは、センササーバ１１の電源を一旦オフにすればよい。
【００５７】
なお、警備会社の監視センター３３への通報は、警備会社と居住者との間で契約が交わされている場合であり、契約が無い場合には、居住者が所持するＰＤＡ装置３１、携帯電話３２と、居住者が所持するノートパソコン３４等に限られ、警察への通報はセンササーバ１１からの通報を入手した人が行うことになる。
【００５８】
（第１の実施の形態の効果）
第１の実施の形態によると、下記の効果を奏する。
（イ）認証キー４０の挿入部および認証部１７の挿入口１７ｂの形状を、ともに上下で非対称になるようにしたので、認証キー４０の誤挿入を防止することができる。
（ロ）認証部１７は、端子を主体に構成でき、かつ、センササーバ１１との接続を４本の接続ケーブルで済ますことができるので、小型化および簡略化が可能になる。
（ハ）認証キー４０が、ボタン電池型の電極構造を有するメモリ部４１を有し、かつ底面に開口４０ｄを設け、この開口４０ｄを通してメモリ用端子１７４Ｂの先端部が上下動する構造により、メモリ部４１への電気的接続と認証キー４０の挿入完了をクリック感で認識することができる。
（ニ）メモリ部４１は、ＩＣカードのように、複数の端子を並列接続した構成ではなく、ボタン電池型の電極構造であるので、塵等の詰まりによる接触不良を防止することができる。
（ホ）認証キー４０は、従来のＩＣカードのように板状ではなく、在来の機械式の錠前のキーと同様のコンパクトな形状とできるので、これらのキーと束ねた状態で持ち歩いたり、保管したりすることができる。また、キーホルダとして用いることもできる。
（ヘ）認証部１７は、屋内の電気配線工事で周知のスイッチボックスのサイズに形成できるので、設置場所に対する制約を少なくすることができる。
【００５９】
なお、図１に示したセンサの種類は一例に過ぎず、建物の構造、居住者の希望等に応じて任意にセンサの種類を選ぶことができる。例えば、家屋内の配線に大電流が流れているか否かを検出する電流センサ、漏電を検知する漏電センサ、酸素濃度センサ、壁紙等からの有害ガスを検知するための有害ガスセンサ、井戸水のｐＨを検知するｐＨセンサ等がある。
【００６０】
更に、Ｗｅｂカメラ１２による撮影画像は、実態を把握するためには動画が好ましいが、受信側がＰＤＡ装置３１や携帯電話３２では、動画を表示できない場合がある。このような場合に対処できるように、受信先の機器仕様に応じて静止画を選択するようにしてもよい。
【００６１】
また、図１の構成においては、センササーバ１１、インターネット２０を経て携帯電話３２に接続するものとしたが、インターネット２０を通さずに携帯電話３２と通信することも可能である。この場合、センササーバ１１に電話機を接続し、携帯電話３２の電話番号を呼び出す構成にすればよい。すなわち、有線電話回線網と移動電話回線網を接続する通信形態にすればよい。
【００６２】
また、居住者が所持する携帯端末として、携帯電話とＰＤＡ装置を例示したが、これに限定されるものではなく、インターネット、有線電話回線網、又は移動電話回線網を通して接続できるものであればよく、例えば、ＰＨＳ電話や自動車電話であってもよい。
【００６３】
また、施錠／開錠の対象は、玄関ドア１５に限定されるものではなく、他のドア、通用門等であってもよい。
【００６４】
また、ＬＥＤ１７ｃを点滅させたり、色を変化させたり、あるいはブザーやスピーカを用い、音やメッセージで警告や通知を行う構成にすることもできる。
【００６５】
また、第１の実施の形態は、ホームセキュリティを対象にしたが、店舗、小規模事業所等であってもよい。
【００６６】
（第２の実施の形態）
図８は、本発明の第２の実施の形態に係る認証キーの平面図であり、（ａ）は平面図、（ｂ）は（ａ）の中央部における断面図である。この認証キー４０は、ＡＢＳ等の樹脂材料で形成される第１形状部４０Ａおよび第２形状部４０Ｂがともに楕円状の外形を有し、かつ平坦状に形成された構成を有する。第２形状部４０Ｂは、第１形状部４０Ａより大なる幅を有するとともに表面に所定のピッチで形成された滑り止めの縦溝４０ｆが形成されており、そのことによって保持性を高めている。
【００６７】
（第２の実施の形態の効果）
第２の実施の形態によると、第１の実施の形態の好ましい効果に加えて第１形状部４０Ａおよび第２形状部４０Ｂが平坦状に形成されているので、在来の機械式の錠前のキーとともに持ち歩いても嵩張ることがなく、可搬性に優れる。また、第１形状部４０Ａおよび第２形状部４０Ｂが異なるサイズで形成されているので、誤挿入を未然に防ぐことができ、操作性に優れる。
【００６８】
（他の実施の形態）
なお、本発明は、上記各実施の形態に限定されず、その要旨を変更しない範囲内で種々な変形が可能である。例えば、各実施の形態間の構成要素の組合せは任意に行うことができる。
【図面の簡単な説明】
【００６９】
【図１】本発明の実施の形態に係るセキュリティシステムを示す全体図である。
【図２】センササーバの詳細構成を示すブロック図である。
【図３】図１の認証部の正面図である。
【図４】図３の認証部の平面図である。
【図５】図３の認証部の側面図である。
【図６】認証キーが挿入されているときの図４のＡ−Ａ線の断面図である。
【図７】本発明にかかる認証キーの詳細構成を示し、（ａ）は平面図、（ｂ）は正面図、（ｃ）は（ａ）のＢ−Ｂ線の断面図である。
【図８】本発明の第２の実施の形態に係る認証キーの平面図であり、（ａ）は平面図、（ｂ）は（ａ）の中央部における断面図である。
【図９】従来のセキュリティシステムを示すブロック図である。
【符号の説明】
【００７０】
１…セキュリティシステム、１０…家屋側設備、１１…センササーバ、１１ａ…ＣＰＵ、１１ｂ…アドレスバス、１１ｃ…データバス、１１ｄ…コントロールバス、１１ｅ…ＲＯＭ、１１ｆ…ＲＡＭ、１１ｇ…インターフェース部、１１ｈ…画像メモリ、１１ｉ…符号化部、１１ｊ…回線制御部、１２…Ｗｅｂカメラ、１３…警報器、１４…開閉センサ、１５…玄関ドア、１５Ａ…錠前装置、１５Ｂ…ノブ、１６…電子錠、１７…認証部、１７ａ…ハウジング、１７ｂ…挿入口、１７ｃ…ＬＥＤ（発光ダイオード）、１７ｄ…カバープレート、１７ｅ…固定部、１８…温湿度センサ、１９…ガス検出・警報器、２０…インターネット、３０…受信側設備、３１…ＰＤＡ装置、３２…携帯電話、３３…監視センター、３４…ノートパソコン、４０…認証キー、４０Ａ…第１形状部、４０Ｂ…第２形状部、４０ｂ…開口、４０ｃ…凹部、４０ｄ…開口、４０ｅ…段差部、４０ｆ…縦溝、４０ｇ…アール、１００…セキュリティシステム、１０１，１０２，１０３…異常検知センサ、１０４…端末装置、１０５…回線網、１０６…中央監視システム、１０７…通知先、１７１…抵抗、１７２Ａ，１７２Ｂ…リード、１７３Ａ，１７３Ｂ…端子、１７４Ａ，１７４Ｂ…メモリ用端子、１７５Ａ，１７５Ｂ，１７６Ａ，１７６Ｂ…ネジ、１７７…開閉カバー、１７７ａ…係止片、１７８…スプリング、１７９Ａ，１７９Ｂ…ナット
【図１】
2006152679.tif 000003
【図２】
2006152679.tif 000004
【図３】
2006152679.tif 000005
【図４】
2006152679.tif 000006
【図５】
2006152679.tif 000007
【図６】
2006152679.tif 000008
【図７】
2006152679.tif 000009
【図８】
2006152679.tif 000010
【図９】
2006152679.tif 000011